【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
感光体ドラムと、
前記感光体ドラムに形成された静電潜像を現像する回転可能な現像ローラと、
前記現像ローラに駆動力を伝達するための回転ローラであって、その軸線が現像ローラの軸線に対してずれた位置にあるように配置された回転ローラと、
前記回転ローラに配置されたカップリング部材と、
前記カップリング部材に設けられ、前記回転ローラの軸線に対して交差する方向に移動可能であり、前記現像ローラに伝達するための駆動力を受ける駆動力受け部と、
前記回転ローラの軸線に対して交差する方向に駆動力受け部を付勢するための付勢部材と、
前記回転ローラに対して前記回転ローラの軸線に対して交差する方向に前記駆動力受け部と共に移動できるように前記駆動力受け部を回転可能に支持する支持部と、
前記付勢部材によって付勢される前記支持部を受けるための突き当て部と、
を有し、
前記突き当て部は前記回転ローラの軸線に垂直な平面上において、前記感光体ドラムの外周よりも外側に位置することを特徴とするプロセスカートリッジ。
【請求項２】
前記現像ローラにトナーを供給するために前記回転ローラは前記現像ローラと接触することを特徴とする請求項１記載のプロセスカートリッジ。
【請求項３】
前記現像ローラは、前記回転ローラと接触した状態で前記感光体ドラムに対して当接離間が可能であることを特徴とする請求項２記載のプロセスカートリッジ。
【請求項４】
前記突き当て部は、前記平面上において前記感光体ドラムと前記回転ローラとの間に配置されることを特徴とする請求項１から請求項３のいずれかに記載のプロセスカートリッジ。
【請求項５】
前記カップリング部材は、前記回転ローラの端部に設けられる従動部と、前記駆動力受け部と係合している状態で前記従動部に対して対回転ローラの軸線に対して交差する方向に移動可能であるように前記従動部と係合する中間部と、を有し、前記中間部に対して前記駆動力受け部の動く方向は前記従動部に対して前記中間部の動く方向と異なることを特徴とする請求項１から請求項４のいずれかに記載のプロセスカートリッジ。
【請求項６】
前記付勢部材は弾性変形可能であることを特徴とする請求項１から請求項５のいずれかに記載のプロセスカートリッジ。
【請求項７】
前記付勢部材はスプリングであることを特徴とする請求項１から請求項５のいずれかに記載のプロセスカートリッジ。
【請求項８】
前記カップリング部材はオルダムカップリングであることを特徴とする請求項１から請求項７のいずれかに記載のプロセスカートリッジ。
【請求項９】
前記カップリング部材は、前記回転ローラの軸の端部に配置されることを特徴とする請求項１から請求項８のいずれかに記載のプロセスカートリッジ。
【請求項１０】
感光体ドラムと、
前記感光体ドラムに形成された静電潜像を現像する回転可能な現像ローラと、
前記現像ローラに駆動力を伝達するための回転ローラであって、その軸線が前記現像ローラの軸線に対してずれた位置にあるように配置された回転ローラと、
前記回転ローラに配置されたカップリング部材と、
前記カップリング部材に設けられ、前記回転ローラの軸に対して交差する方向に移動可能であり、前記現像ローラに伝達する駆動力を受ける駆動力受け部と、
前記回転ローラの軸に対して交差する方向に前記駆動力受け部を付勢するための付勢部材と、
前記回転ローラに対して前記回転ローラの軸線に対して交差する方向に前記駆動力受け部と共に移動できるように前記駆動力受け部を回転可能に支持する支持部と、
前記付勢部材によって付勢される前記支持部を受けるための突き当て部と、
を有し、
前記突き当て部と前記支持部との接触点が前記回転ローラの軸線に垂直な平面上において前記感光体ドラムの外周面よりも外側に位置するように、前記突き当て部が配置されていることを特徴とするプロセスカートリッジ。
【請求項１１】
前記現像ローラにトナーを供給するために前記回転ローラは前記現像ローラと接触することを特徴とする請求項１０記載のプロセスカートリッジ。
【請求項１２】
前記現像ローラは、現像剤供給ローラと接触した状態で、前記感光体ドラムに対して当接離間が可能であることを特徴とする請求項１１記載のプロセスカートリッジ。
【請求項１３】
前記接触点は、前記平面上において前記感光体ドラムと前記回転ローラとの間に配置されることを特徴とする請求項１０から請求項１１のいずれかに記載のプロセスカートリッジ。
【請求項１４】
前記接触点は複数あり、少なくとも一の接触点は前記平面上において現像ローラの外周よりも内側に位置することを特徴とする請求項１３記載のプロセスカートリッジ。
【請求項１５】
前記接触点は、前記平面上において回転ローラの外周よりも外側に配置されることを特徴とする請求項１３記載のプロセスカートリッジ。
【請求項１６】
前記カップリング部材は、前記回転ローラの端部に設けられる従動部と、前記駆動力受け部と係合している状態で前記従動部に対して前記回転ローラの軸線に対して交差する方向に移動可能であるように前記従動部と係合する中間部と、を有し、前記中間部に対して前記駆動力受け部の動く方向は前記従動部に対して前記中間部の動く方向と異なることを特徴とする請求項１０から請求項１５のいずれかに記載のプロセスカートリッジ。
【請求項１７】
前記付勢部材は弾性変形可能であることを特徴とする請求項１０から請求項１６のいずれかに記載のプロセスカートリッジ。
【請求項１８】
前記付勢部材はスプリングであることを特徴とする請求項１０から請求項１６のいずれかに記載のプロセスカートリッジ。
【請求項１９】
前記カップリング部材はオルダムカップリングであることを特徴とする請求項１０から請求項１８のいずれかに記載のプロセスカートリッジ。
【請求項２０】
前記カップリング部材は、前記回転ローラの軸の端部に配置されることを特徴とする請求項１０から請求項１９のいずれかに記載のプロセスカートリッジ。
【請求項２１】
請求項１から請求項９のいずれかに記載のプロセスカートリッジと、
前記駆動力受け部に駆動力を与えるための駆動部材を有し、前記プロセスカートリッジを着脱することが可能な画像形成装置本体と、
を有する画像形成装置。
【請求項２２】
前記画像形成装置本体は、前記感光体ドラムに対する前記現像ローラの当接状態と離間状態とを切り替える当接離間機構を有することを特徴とする請求項２１に記載の画像形成装置。
【請求項２３】
前記画像形成装置本体は前記感光体ドラムに駆動力を与えるドラム駆動部材を有し、前記感光体ドラムは前記ドラム駆動部材と係合し、前記感光体ドラムを回転するための駆動力を受けるドラムカップリン部材を有することを特徴とする請求項２１または請求項２２に記載の画像形成装置。
【請求項２４】
請求項１０から請求項２０のいずれかに記載のプロセスカートリッジと、
前記駆動力受け部に駆動力を与えるための駆動部材を有し、前記プロセスカートリッジを着脱することが可能な画像形成装置本体と、
を有する画像形成装置。
【請求項２５】
前記画像形成装置本体は、前記感光体ドラムに対する前記現像ローラの当接状態と離間状態とを切り替える当接離間機構を有することを特徴とする請求項２４に記載の画像形成装置。
【請求項２６】
前記画像形成装置本体は前記感光体ドラムに駆動力を与えるドラム駆動部材を有し、前記感光体ドラムは前記ドラム駆動部材と係合し、前記感光体ドラムを回転するための駆動力を受けるドラムカップリン部材を有することを特徴とする請求項２４または請求項２５に記載の画像形成装置。
【手続補正２】
【補正対象書類名】明細書
【補正対象項目名】０００９
【補正方法】変更
【補正の内容】
【０００９】
上記目的を達成するための本発明に係る代表的な構成は、感光体ドラムと、前記感光体ドラムに形成された静電潜像を現像する回転可能な現像ローラと、前記現像ローラに駆動力を伝達するための回転ローラであって、その軸線が現像ローラの軸線に対してずれた位置にあるように配置された回転ローラと、前記回転ローラに配置されたカップリング部材と、前記カップリング部材に設けられ、前記回転ローラの軸線に対して交差する方向に移動可能であり、前記現像ローラに伝達するための駆動力を受ける駆動力受け部と、前記回転ローラの軸線に対して交差する方向に駆動力受け部を付勢するための付勢部材と、前記回転ローラに対して前記回転ローラの軸線に対して交差する方向に前記駆動力受け部と共に移動できるように前記駆動力受け部を回転可能に支持する支持部と、前記付勢部材によって付勢される前記支持部を受けるための突き当て部と、を有し、前記突き当て部は前記回転ローラの軸線に垂直な平面上において、前記感光体ドラムの外周よりも外側に位置することを特徴とする。